(57)【要約】【課題】  体の皮膚を挟んで、痛い、気持ちが良い等の刺激を起こし、そこに関連する脳等を活性化する為には、相当強い力で、容易に強、弱を変化できるクランプが必要であった。【解決手段】  クランプの握り部の長さ、２つの握り部の距離、適当なコイルバネの強さ、挟む部分の開閉の巾を定める事、小巾のバネの力の増減の方法が、解決出来た。【選択図】図１
2009125563.tif 000002
【特許請求の範囲】
【請求項１】
体の皮膚を挟み、痛い、気持ちが良い等の刺激を起こし、そこに関連する脳等の活性をよくする目的の皮膚挟器に於いて、コイルバネ（１個又は複数個）をバネとし、コイルを支えるシャフトの基部が、２枚の板にある構造のクランプに於いて、挟む部分が、挟む相手の大きさに適合する様に、複数作ってあるクランプの製造。
【請求項２】
体の皮膚を挟み、痛い、気持ちが良い等の刺激を起こし、そこに関連する脳等の活性をよくする目的の皮膚挟み器に於いて、コイルバネ（１個又は複数個）をバネとし、コイルを支えるシャフトの基部が、２枚の板にある構造のクランプに於いて、コイルバネの線の太さの直径が３・５ｍｍ〜１ｍｍの物を使ったクランプに於いて、挟む部分の先端の位置が、コイルバネを支えるシャフトの中心からの距離が、１０ｃｍ〜１５０ｃｍあるクランプの製造。
【請求項３】
体の皮膚を挟み、痛い、気持ちが良い等の刺激を起こしそこに関連する脳等の活性をよくする目的の皮膚挟み器に於いて、コイルバネ（１個又は複数個）をバネとし、コイルを支えるシャフトの基部が、２枚の板にある構造のクランプに於いて、シャフトの中心から、挟む部分の先端との間の外側に、挟む力を増加する為に、輪になったゴム状物をつける為に、凸部（高さ３ｍｍ〜３０ｍｍとする）をつけたクランプの製造。
【請求項４】
体の皮膚を挟み、痛い、気持ちが良い等の刺激を起こしそこに関連する脳等の活性をよくする目的の皮膚挟み器に於いて、コイルバネ（１個又は複数個）をバネとし、コイルを支えるシャフトの基部が、２枚の板にある構造のクランプに於いて、挟む力を弱める為に、クリップを操作する時に握る部分の端に、輪になったゴム状物をつける為に、凹み、凸部（高さ１ｍｍ〜１０ｍｍとする）をつけたクランプの製造。
【請求項５】
体の皮膚を挟み、痛い、気持ちが良い等の刺激を起こしそこに関連する脳等の活性をよくする目的の皮膚挟み器に於いて、コイルバネ（１個又は複数個）をバネとし、コイルを支えるシャフトの基部が、２枚の板にある構造のクランプに於いて、クランプ本体の内、金型で作った部分の挟み部より、更に大きな対称物を掴む挟み部を作るのに、プラスチック製の帯状物（巾は金型で作った挟み部の巾に近い物とし、その帯状物の先端部分は、物を掴む形状になっている）を、金型で作った挟み部の外側に、棒トウとナットで、固着して、金型で作った挟み部より大きな対称物を掴む事が出来るクランプの製造。
【発明の詳細な説明】
【技術分野】
【０００１】  この発明は、健康を増進する器具の製造方法にかんする。
【背景技術】
【０００２】  平成１３年６月２１日及び平成１３年７月１０日出願のイヤリングの製造方法で出願されている。【０００３】
【非特許文献１】  〔０００２〕に出願された文献に健康上優れた効果が発表されている。
【発明の開示】
【発明が解決しようとする課題】
【０００４】  〔０００３〕の〔非特許文献１〕には、耳だけの刺激であたが、耳以外にも、大量の刺激点がある筈で、これには、大きな力の刺激が必要であった。【０００５】  本発明は、変化のある大きな刺激を行える器具の開発であった。
【課題を解決する為の手段】
【０００６】  握る操作の出来るクランプとは、クランプの操作部が人の握る力を抜きにして、手で２つの操作部を持てる事と、その時、バネの力に、手の握る力が、対抗出来る事の２つが必要で、この両方を満たす夫々の最大値が分かりバネの力の力の増減の方法が見つかった。
【発明の効果】
【０００７】  このクランプで下腹を挟むのに、今迄考えた事もなかった。楽しい気分が、味わえて７日ほどで、前日、早く食した分の大便が、翌日中には排出された。
【０００８】  膀胱が冷えるのが、挟むのは此処だなと意識して挟み、即日、膀胱の冷えが止まった。
【０００９】  僅かの痛みを、与える事によって、涙の状態が良くなった。
【００１０】  良い気持ちを持続する為、集中が必要になる為、否応でも集中する為、精神集中が出来て、ストレスが解消する。
【００１１】  腕、足の向こうずねの裏、足の裏も、つまんだ経験のない処が心地よく掴めて、性力のつく事が、翌日には分かる。
【００１２】  数日で、下腹がへ込み、脂肪が減少したのが分かり、１ヶ月もすれば、腹全体がへ込む
【００１３】  腕、脚の付け根を掴み、刺激をするのに、成長ホルモンが、１２％増えた。
【００１４】  上記〔００１３〕の方法で、夜間就寝中に尿意が起こらなくなった。
【００１５】  上記〔００１３〕の方法で、不眠症が治った。
【００１６】  上記〔００１３〕の方法で、眼に力が出来て、視力が良くなり、涙の状態が良くなった
【００１７】上記〔００１３〕の方法で、起こりがちであった頭痛が起こらなくなった。
【００１８】上記〔００１３〕の方法で、起こりがちであった腰痛が起こらなくなった。
【発明を実施する為の最良の形態】
【００１９】  実施例について図面を参照して説明すると、図１はクランプ本体を正面から見た図であり、図２はクランプ本体を左横より見た図で、図３はクランプ本体を右横より見た図で、図４はコイルバネ、図５はコイルバネを支えるシャフトである。符号１はシャフト、２はコイルバネの枝、３はシャフトのナット、４は最大の挟み部１１の関連物を着脱する蝶ネジ付きの棒トウ（挟む力を増やす為の輪ゴムの設置点兼用物）、５はバネの力を弱める輪ゴムの設置部、６、７は握る部分、８は第１の挟み部、９は第２の挟み部、１０は第３の挟み部（挟み部の先端に、相手の先端が無くても、挟み部１つとして計算する）、１１は第４の挟み部である。コイルバネを複数使用する場合は、その１本のコイルバネの線の直径が、３・５ｍｍ〜１ｍｍであれば、残りのコイルバネに、直径１ｍｍ以下の物を使用しても可とす。
【図面の簡単な説明】
【図１】  クランプの正面よりの図である。
【図２】  クランプを左横より見た図である。
【図３】  クランプを右横より見た図である。
【図４】  コイルバネの図である。
【図５】  シャフトの図である。
【符号の説明】
１  シャフト
２  コイルバネの枝
３  シャフトのナット
４  蝶ネジ付棒トウ
５  輪ゴムの設置場所
６  握り部
７  握り部
８  第１の挟み部
９  第２の挟み部
１０  第３の挟み部
１１  第４の挟み部
【図１】
2009125563.tif 000003
【図２】
2009125563.tif 000004
【図３】
2009125563.tif 000005
【図４】
2009125563.tif 000006
【図５】
2009125563.tif 000007
【手続補正書】
【提出日】平成20年3月22日(2008.3.22)
【手続補正１】
【補正対象書類名】特許請求の範囲
【補正対象項目名】請求項
【補正方法】追加
【補正の内容】
【請求項６】
体の皮膚を挟み、痛い、気持ちが良い等の刺激を起こし、そこに関連する脳等の活性をよくする目的の皮膚挟み器に於いて、コイルバネ（１個又は複数個）をバネとし、コイルを支えるシャフトの基部が、２枚の板にある構造のクランプに於いて、シャフトの長さ（コイルバネに接する空間部の長さ＋２×本体の壁部の厚み＋締結部材の厚み＋シャフトの頭頂部の厚み）が、２８ｍｍ〜７０ｍｍあるクランプに於いて、コイルバネの線の太さの直径が、２．８ｍｍ〜１．５ｍｍあるコイルバネを使用する皮膚挟器の製造方法。
【手続補正書】
【提出日】平成20年5月26日(2008.5.26)
【手続補正１】
【補正対象書類名】手続補正書
【補正対象項目名】手続補正１
【補正方法】変更
【補正の内容】
【手続補正１】
【補正対象書類名】特許請求の範囲
【補正対象項目名】全文
【補正方法】変更
【補正の内容】
【特許請求の範囲】
【請求項１】
体の皮膚を挟み、痛い、気持ちが良い等の刺激を起こし、そこに関連する脳等の活性をよくする目的の皮膚鋏器に於いて、コイルバネ（１個又は複数個）をバネとし、コイルを支えるシャフトの基部が、２枚の板にある構造のクランプに於いて、挟む部分が、挟む相手の大きさに適合する様に、複数作ってあるクランプを有する皮膚挟器。
【請求項２】
体の皮膚を挟み、痛い、気持ちが良い等の刺激を起こし、そこに関連する脳等の活性をよくする目的の皮膚挟み器に於いて、コイルバネ（１個又は複数個）をバネとし、コイルを支えるシャフトの基部が、２枚の板にある構造のクランプに於いて、コイルバネの線の太さの直径が３・５ｍｍ〜１ｍｍの物を使ったクランプに於いて、挟む部分の先端の位置が、コイルバネを支えるシャフトの中心からの距離が、10ｃｍ〜１５０ｃｍあるクランプを有する皮膚挟器。                   
【請求項３】
体の皮膚を挟み、痛い、気持ちが良い等の刺激を起こしそこに関連す                                                                              
る脳等の活性をよくする目的の皮膚挟み器に於いて、コイルバネ（１個又は複数個）をバネとし、コイルを支えるシャフトの基部が、２枚の板にある構造のクランプに於いて、シャフトの中心から、挟む部分の先端との間の外側に、挟む力を増加する為に、輪になったゴム状物をつける為に、凸部（高さ３ｍｍ〜３０ｍｍとする）をつけたクリップを有する皮膚挟器。
【請求項４】
体の皮膚を挟み、痛い、気持ちが良い等の刺激を起こしそこに関連す                                                                              
る脳等の活性をよくする目的の皮膚挟み器に於いて、コイルバネ（１個又は複数個）をバネとし、コイルを支えるシャフトの基部が、２枚の板にある構造のクランプに於いて、挟む力を弱める為に、クリップを操作する時に握る部分の端に、和になったゴム状物をつける為に、凹み、凸部（高さ１ｍｍ〜１０ｍｍとする）を付けたクランプを有する皮膚挟器。
【請求項５】
体の皮膚を挟み、痛い、気持ちが良い等の刺激を起こしそこに関連する脳等の活性をよくする目的の皮膚挟み器に於いて、コイルバネ（１個又は複数個）をバネとし、コイルを支えるシャフトの基部が、２枚の板にある構造のクランプに於いて、クランプ本体の内、金属で作った部分の挟み部より、更に大きな対象物を掴む挟み部を作るのに、プラスチック製の帯成物（巾は金型で作った挟み部の巾に近い物とし、その帯状物の先端部分は、物を掴む形状になっている）を、金型で作った挟み部の外側に、棒トウとナットで、固着して、金型で作った挟み部より大きな対象物を掴む事が出来るクランプを有する皮膚挟器。
【請求項６】
体の皮膚を挟み、痛い、気持ちが良い等の刺激を起こし、そこに関連する脳等の活性をよくする目的の皮膚挟み器に於いて、コイルバネ（１個又は複数個）をバネとし、コイルを支えるシャフトの基部が、2枚の板にある構造のクランプに於いて、シャフトの長さ（コイルバネに接する空間部の長さ＋２×本体の壁部の厚み＋締結部材の厚み＋シャフトの頭頂部の厚み）が２８ｍｍ〜７０ｍｍあるクランプに於いて、コイルバネの線の太さの直径が、２．８ｍｍ〜１．５ｍｍあるコイルバネを使用する皮膚挟器。